【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
除細動器システムであって、
除細動ショックがいつ推奨されるかを判定して前記除細動ショックを送出することが独立して可能な完全機能除細動器を構成するベース除細動器ユニットであって、前記除細動ショックを送出するのに適したキャパシタユニットと、前記除細動ショックを送出するのに適したレベルまで前記キャパシタユニットを独立して充電を容易にするのに十分なエネルギーを蓄積することができるバッテリーとを含み、前記除細動器システムの緊急使用中に音声指示を提供するようにさらに構成されている、ベース除細動器ユニットと、
前記ベース除細動器ユニットに取り付けられたインタフェースユニットであって、前記インタフェースユニットは、前記ベース除細動器ユニットおよび取り付けられたインタフェースユニットが、単一の携帯型ユニットの少なくとも一部を形成するように、前記ベース除細動器ユニットに取り付けられ、かつ前記ベース除細動器ユニットに取り外し可能に結合されており、前記インタフェースユニットは、ディスプレイ画面、および遠隔サーバとの無線通信を容易にする通信モジュールを含み、前記インタフェースユニットは、前記ベース除細動器ユニットの緊急使用中に前記ベース除細動器ユニットによって提供される前記音声指示と同期するグラフィック指示を前記ディスプレイ画面に表示させるように構成されており、前記インタフェースユニットは、前記ベース除細動器ユニットの緊急使用中に前記ベース除細動器ユニットが適切に動作するために必要ではない、インタフェースユニットと
を備える、除細動器システム。
【請求項２】
除細動器システムであって、
除細動ショックがいつ推奨されるかを判定して前記除細動ショックを送出することが独立して可能な完全機能除細動器を構成するベース除細動器ユニットであって、前記除細動ショックを送出するのに適したキャパシタユニットと、前記除細動ショックを送出するのに適したレベルまで前記キャパシタユニットを独立して充電を容易にするのに十分なエネルギーを蓄積することができるバッテリーとを含む、ベース除細動器ユニットと、
前記ベース除細動器ユニットに取り付けられたインタフェースユニットであって、前記インタフェースユニットは、前記ベース除細動器ユニットおよび取り付けられたインタフェースユニットが、単一の携帯型ユニットの少なくとも一部を形成するように、前記ベース除細動器ユニットに取り付けられ、かつ前記ベース除細動器ユニットに取り外し可能に結合されており、遠隔サーバとの無線通信を容易にする通信モジュールを含む、インタフェースユニットと
を備え、
前記ベース除細動器ユニットは、前記ベース除細動器ユニットの緊急使用中に前記インタフェースユニットに情報を送信するように構成されており、前記ベース除細動器ユニットは、前記ベース除細動器ユニットの緊急使用中に、前記取り付けられたインタフェースユニットからの制御指示を必要としないか、または利用せず、
前記インタフェースユニットは、前記ベース除細動器ユニットと関連して動作する以外に実質的な機能を有しないが、前記ベース除細動器ユニットの緊急使用中に前記ベース除細動器ユニットが適切に動作するために必要ではない、
除細動器システム。
【請求項３】
除細動器であって、
患者に除細動ショックを送出するのに十分なエネルギーを蓄積および放電するように構成されたキャパシタユニットと、
前記除細動ショックの送出に適した電圧まで前記キャパシタユニットを充電するように構成された充電回路と、
前記キャパシタユニットを放電して前記除細動ショックを送出するのに適した放電回路と、
除細動器コントローラと、
前記除細動器の緊急使用中にユーザに音声指示を伝達するためのスピーカと
を備え、
前記除細動器コントローラは、
（ｉ）前記スピーカに、前記除細動器の緊急使用中、前記ユーザに音声指示を伝達させ、
（ｉｉ）前記除細動器に、前記除細動器の緊急使用中に前記音声指示と関連する除細動器指示状態識別子を繰り返し出力させるように構成され、前記除細動器指示状態識別子は、出力された除細動器指示状態識別子を受信して、前記音声指示と同期するグラフィックユーザ指示をディスプレイ画面上に表示させる、ディスプレイ画面を有する外部デバイスによる使用に適しており、
前記除細動器コントローラは、
（ｉｉｉ）前記除細動器の緊急使用中、一連の音声指示中の複数の異なる音声指示について（ｉ）〜（ｉｉ）を繰り返して、前記除細動器の緊急使用中に前記除細動器によって生成される音声指示と同期する、対応する一連のグラフィックユーザ指示を外部デバイスが表示することを容易にするように構成され、
前記除細動器は、前記除細動器の緊急使用中に前記外部デバイスからの制御指示を必要としないか、または利用せず、前記外部デバイスは、前記除細動器の緊急使用中の音声指示の伝達を含む、前記除細動器の緊急使用中の前記除細動器の動作のために必要ではなく、
前記除細動器は、前記除細動器の緊急使用中に前記外部デバイスへグラフィック指示を送信しない、除細動器。
【請求項４】
前記外部デバイスは、携帯電話または他のモバイル通信デバイスである、請求項３に記載の除細動器。
【請求項５】
前記携帯電話または他のモバイル通信デバイスは、
それにインストールされた除細動器サポートアプリケーションと、
前記除細動器サポートアプリケーションを実行するためのプロセッサと、
ディスプレイ画面と
を含み、
前記除細動器サポートアプリケーションは、前記プロセッサを制御して、前記除細動器の緊急使用中に、前記除細動器によって提供される音声指示と同期するグラフィック指示を前記ディスプレイ画面に表示させるように構成されている、請求項４に記載の除細動器。
【請求項６】
前記インタフェースユニットは、前記インタフェースユニットが前記除細動器に取り付けられている場合に前記ベース除細動器ユニット上の相補的コネクタに係合して、前記インタフェースユニットと前記ベース除細動器ユニットとの間の通信を容易にするコネクタを含む、請求項１または２に記載の除細動器システム。
【請求項７】
除細動器コントローラは、前記除細動器の緊急使用中にインタフェースユニットまたは外部デバイスにインシデント情報を送信するようにさらに構成されており、前記インタフェースユニットまたは外部デバイスは、（ａ）遠隔サーバに前記インシデント情報の少なくとも一部を送信すること、（ｂ）前記インシデント情報の少なくとも一部を、そのような情報に対するユーザ要求に応答して、ユーザに表示することの両方を行うように構成されている、請求項１〜６のいずれか一項に記載の除細動器または除細動器システム。
【請求項８】
前記除細動器またはベース除細動器ユニットは、インタフェースユニットまたは外部デバイスから電力を引き出すように構成されており、（ａ）前記キャパシタユニットの充電中に補助充電電力を選択的に供給すること、（ｂ）前記除細動器またはベース除細動器ユニットのバッテリーの再充電のために電力を選択的に供給することの両方のために引き出された電力を選択的に利用することができる、請求項１〜７のいずれか一項に記載の除細動器または除細動器システム。
【請求項９】
前記ベース除細動器ユニットは、除細動器バッテリーを含み、前記インタフェースユニットは、インタフェースユニットバッテリーを含み、前記ベース除細動器ユニットは、前記除細動器バッテリーから電力を引き出すことなく、前記ベース除細動器ユニットが充電器に結合されている場合に前記インタフェースユニットバッテリーが選択された時間に再充電されることを可能にするように構成されている、請求項１〜２または６〜８のいずれか一項に記載の除細動器システム。
【請求項１０】
前記除細動器は、指示状態識別子、除細動器状態情報および指示のうちの少なくとも１つを前記インタフェースユニットまたは外部デバイスに提供して、前記インタフェースユニットまたは外部デバイス上のグラフィック指示の同期された表示を容易にするように構成されている、請求項１〜２または６〜９のいずれか一項に記載の除細動器システム。
【請求項１１】
前記指示状態識別子、除細動器状態情報または指示は、周期的に更新されて、前記インタフェースユニットまたは外部デバイス上のグラフィック指示が前記除細動器によって提供される音声指示と同期されることを確実にするのを支援する、請求項１０に記載の除細動器または除細動器システム。
【請求項１２】
前記インタフェースユニットまたは外部デバイスは、指定されたタイムアウト閾値を超える期間にわたって前記除細動器から更新が受信されない場合、前記同期されたグラフィック指示の表示を停止するように構成されている、請求項１１に記載の除細動器または除細動器システム。
【請求項１３】
前記指示状態識別子、除細動器状態情報または指示は、前記外部デバイス上のグラフィック指示が、前記除細動器またはベース除細動器ユニットにより提供される音声指示と同期されることを確実にするのを支援するために、少なくとも毎秒３回の更新の頻度で更新される、請求項１０〜１２のいずれか一項に記載の除細動器または除細動器システム。
【請求項１４】
外部デバイスを前記除細動器またはベース除細動器ユニットに電気的に結合するのに適したコネクタをさらに備え、前記コネクタは、除細動器コントローラと前記外部デバイスとの間の通信を容易にするように構成されている、請求項１〜１３のいずれか一項に記載の除細動器または除細動器システム。
【請求項１５】
前記コネクタは、（ｉ）前記キャパシタユニットの充電を支援すること、または（ｉｉ）除細動器バッテリーを再充電することのために選択的に使用することができる電力を前記外部デバイスから受け取るようにさらに構成されている、請求項１４に記載の除細動器または除細動器システム。
【請求項１６】
前記コネクタは、
ＵＳＢコネクタと、
ライトニングコネクタと
からなる群から選択されたものである、請求項１４または１５に記載の除細動器または除細動器システム。
【請求項１７】
第２の外部デバイスを前記除細動器に電気的に結合するのに適した追加のコネクタをさらに備え、前記追加のコネクタは、前記コネクタとは異なるものであり、前記キャパシタユニットの充電を支援するために使用することができる電力を前記第２の外部デバイスから受け取るように構成されている、請求項１４〜１６のいずれか一項に記載の除細動器または除細動器システム。
【請求項１８】
再充電可能なバッテリーと、該再充電可能なバッテリーの再充電を制御するように構成された充電管理モジュールとをさらに備える、請求項１〜１７のいずれか一項に記載の除細動器または除細動器システム。
【請求項１９】
無線充電器から電力を受け取って前記再充電可能なバッテリーの充電を容易にするように構成された無線充電レシーバをさらに備える、請求項１８に記載の除細動器または除細動器システム。
【請求項２０】
前記除細動器または除細動器システムは、無線通信を使用して、インタフェースユニットまたは外部デバイスと通信するように構成された無線通信モジュールをさらに含む、請求項１〜１９のいずれか一項に記載の除細動器または除細動器システム。
【請求項２１】
前記除細動器またはベース除細動器ユニットは、除細動器ハウジングを含み、前記除細動器ハウジングは、インタフェースユニットを収容するとともに前記インタフェースユニットを前記除細動器ハウジングに確実に取り付けるように構成されたモジュールレセプタを有し、前記モジュールレセプタは、フロアを有し、前記モジュールレセプタのフロア上に露出した第１のコネクタは、前記インタフェースユニットが前記モジュールレセプタに固定された場合、前記インタフェースユニットの相補的コネクタに係合して、前記インタフェースユニットを前記除細動器またはベース除細動器ユニットに電気的に接続するように構成されている、請求項１〜２０のいずれか一項に記載の除細動器または除細動器システム。
【請求項２２】
前記除細動器またはベース除細動器ユニットに電力を供給し、前記キャパシタユニットを充電するための電力を提供するように構成されたバッテリーと、
バッテリー駆動の携帯型外部デバイスから電力を受け取り、前記バッテリー駆動の携帯型外部デバイスから受け取った電力を使用して前記バッテリーの充電を容易にするように構成されたバッテリー充電コントローラと、
前記除細動器の緊急使用中に電力レシーバから引き出された電力を用いた放電キャパシタユニットの選択的な充電を容易にするために、前記バッテリー駆動の携帯型外部デバイスから受け取った電力を、前記バッテリー充電コントローラを経由せずに充電回路に選択的に供給するように構成されたバイパス回路と
をさらに備える、請求項１〜２１のいずれか一項に記載の除細動器または除細動器システム。
【請求項２３】
前記バイパス回路は、前記外部デバイスから引き出された電力が前記外部デバイスに関連する指定された電流供給閾値を超えないように、前記外部デバイスから引き出される電力を調整する、請求項２２に記載の除細動器または除細動器システム。
【請求項２４】
前記キャパシタユニットの充電中に前記外部デバイスが前記除細動器に接続され、前記バッテリーが完全に放電されている場合、前記バイパス回路のみが、前記キャパシタユニットを充電するために使用される、請求項２２または２３に記載の除細動器または除細動器システム。
【請求項２５】
前記インタフェースユニットは、プロセッサをさらに含み、
前記プロセッサは、
前記ベース除細動器ユニット上の除細動器コントローラから指示状態識別子を受信し、
前記インタフェースユニットのメモリから前記指示状態識別子に対応するグラフィック指示を検索し、
検索されたグラフィック指示をディスプレイ画面上に表示させて、前記インタフェースユニット上での同期された前記グラフィック指示の表示を容易にする
ように構成されている、請求項１〜２または６〜２４のいずれか一項に記載の除細動器システム。
【請求項２６】
前記インタフェースユニットは、さらに、
前記ベース除細動器ユニットに取り付けられるように構成されたハウジングと、
前記インタフェースユニットのハウジングの外部表面上で外部に露出し、前記インタフェースユニットのハウジングが前記ベース除細動器ユニットに取り付けられている場合に前記ベース除細動器ユニット上の相補的コネクタと係合するように適合された第１のコネクタと、
前記ハウジング内に収容されたプロセッサと
を備え、前記プロセッサは、前記除細動器のインタフェースユニットが前記ベース除細動器ユニットに取り付けられている場合に、前記ベース除細動器ユニット上の除細動器コントローラと通信するように構成されている、請求項１〜２または６〜２５のいずれか一項に記載の除細動器システム。
【請求項２７】
前記インタフェースユニットが、前記ベース除細動器ユニットの緊急使用中に前記ベース除細動器ユニットから受信した情報の少なくとも一部を前記遠隔サーバに転送するようにさらに構成されている、請求項１〜２または６〜２５のいずれか一項に記載の除細動器システム。
【請求項２８】
除細動器インタフェースユニットなしで自動体外式除細動器（ＡＥＤ）として独立して動作することができるベース除細動器ユニットに取り付けられるように適合された除細動器インタフェースユニットであって、
前記ベース除細動器ユニットに取り付けられて、前記ベース除細動器ユニットと前記除細動器インタフェースユニットとを組み合わせた単一の携帯型モジュール式除細動器システムの少なくとも一部を形成するように構成されたハウジングと、
ディスプレイ画面と、
前記携帯型モジュール式除細動器システムの緊急使用中に前記除細動器インタフェースユニットが前記ベース除細動器ユニットに取り付けられている場合、前記ベース除細動器ユニットからの通信を受信し、前記携帯型モジュール式除細動器システムの緊急使用中に前記ベース除細動器ユニットから受信した通信に少なくとも部分的に基づいて、前記携帯型モジュール式除細動器システムの緊急使用中にオペレータの指示を前記ディスプレイ画面に表示させるように構成されたプロセッサと、
通信プロトコルを使用して、前記除細動器インタフェースユニットと、１つまたは複数の遠隔サーバとの間の通信を容易にするように構成された通信モジュールと、
前記除細動器インタフェースユニットに電力を供給する蓄電ユニットと
を備える、除細動器インタフェースユニット。
【請求項２９】
ベース除細動器ユニットおよび取り付けられたインタフェースユニットが単一の携帯型除細動器システムの少なくとも一部を形成するように、ベース除細動器ユニットに取り付けられ、かつ取り外し可能に結合されるように構成された除細動器インタフェースユニットであって、
１つまたは複数の遠隔サーバとの無線通信を容易にする通信モジュールと、
ディスプレイ画面と
を備え、前記除細動器インタフェースユニットは、前記ベース除細動器ユニットの緊急使用中に前記ベース除細動器ユニットによって提供された音声指示と同期するグラフィック指示を前記ディスプレイ画面に表示させるように構成されており、
前記インタフェースユニットは、前記除細動器システムの緊急使用中に前記ベース除細動器ユニットから情報を受信するように構成されており、前記インタフェースユニットは、前記除細動器システムの緊急使用中に前記ベース除細動器ユニットへ制御指示を提供せず、
前記インタフェースユニットは、前記除細動器インタフェースユニットは、前記ベース除細動器ユニットと関連して動作する以外に実質的な機能を有しないが、前記除細動器システムの緊急使用中に前記ベース除細動器ユニットが適切に動作するために必要ではない、除細動器インタフェースユニット。
【請求項３０】
前記除細動器インタフェースユニットは、汎用携帯電話、タブレットコンピュータ、またはパーソナルコンピュータではない、請求項２８または２９に記載の除細動器インタフェースユニット。
【請求項３１】
前記除細動器インタフェースユニットは、前記ベース除細動器ユニットからセルフテスト情報を受信し、遠隔位置にあるサーバのうちの１つまたは複数に前記セルフテスト情報を報告するように構成されている、請求項２８〜３０のいずれか一項に記載の除細動器インタフェースユニット。
【請求項３２】
ＧＮＳＳセンサをさらに備え、前記除細動器インタフェースユニットは、前記ＧＮＳＳセンサを使用して前記除細動器インタフェースユニットの位置を判定し、前記除細動器インタフェースユニットの位置を遠隔位置にあるサーバのうちの１つまたは複数に報告するように構成されている、請求項２８〜３１のいずれか一項に記載の除細動器インタフェースユニット。
【請求項３３】
前記インタフェースユニットのハウジング上に外部に露出し、前記インタフェースユニットのハウジングが前記ベース除細動器ユニットに取り付けられている場合に前記ベース除細動器ユニット上の相補型コネクタと係合するように適合された第１のコネクタをさらに備え、
前記第１のコネクタは、（ａ）前記インタフェースユニットのプロセッサと除細動器コントローラとの間の通信を容易にし、（ｂ）前記インタフェースユニットと前記ベース除細動器ユニットとの間の電力の伝達を容易にするように構成されている、請求項２８〜３２のいずれか一項に記載の除細動器インタフェースユニット。
【請求項３４】
前記除細動器インタフェースユニットは、前記ベース除細動器ユニットの緊急使用中に前記ベース除細動器ユニットに制御指示を送信せず、前記ベース除細動器ユニットの動作に必要ではない、請求項２８または３０〜３３のいずれか一項に記載の除細動器インタフェースユニット。
【請求項３５】
前記インタフェースユニットのプロセッサは、前記ベース除細動器ユニットから除細動器ステータス情報を周期的に受信し、前記除細動器ステータス情報を前記遠隔サーバのうちの１つまたは複数に周期的に送信するように構成されている、請求項２８〜３４のいずれか一項に記載の除細動器インタフェースユニット。
【請求項３６】
蓄電ユニットは、前記ベース除細動器ユニット上のいかなる蓄電ユニットからも電力を引き出すことなく、前記ベース除細動器ユニットに結合されている間に再充電されるように構成されたインタフェースユニットバッテリーである、請求項２８〜３５のいずれか一項に記載の除細動器インタフェースユニット。
【請求項３７】
前記インタフェースユニットは、前記ベース除細動器ユニットの緊急動作中、前記ベース除細動器ユニットから電力を引き出さない、請求項２８〜３６のいずれか一項に記載の除細動器インタフェースユニット。
【請求項３８】
前記ベース除細動器ユニットが充電され、外部電源に接続された場合、前記ベース除細動器ユニットを介した電力受信を用いて蓄電ユニットを再充電するようにさらに構成されている、請求項２８〜３７のいずれか一項に記載の除細動器インタフェースユニット。
【請求項３９】
前記除細動器インタフェースユニットは、前記ベース除細動器ユニットに電力を供給することができる、請求項２８〜３８のいずれか一項に記載の除細動器インタフェースユニット。
【請求項４０】
前記除細動器インタフェースユニットは、前記ベース除細動器ユニットの使用中に、前記ベース除細動器ユニットによって提供される音声指示を補足するグラフィック指示をディスプレイ画面に表示させるようにさらに構成されている、請求項２８〜３９のいずれか一項に記載の除細動器インタフェースユニット。
【請求項４１】
プロセッサは、
前記ベース除細動器ユニット上の除細動器コントローラから指示状態識別子を受信し、
前記インタフェースユニットのメモリから前記指示状態識別子に対応するグラフィック指示を検索し、
検索されたグラフィック指示を前記ディスプレイ画面に表示させて、前記除細動器インタフェースユニット上での前記ベース除細動器ユニットにより生成される音声指示と、前記グラフィック指示の同期された表示を容易にする
ように構成されている、請求項２８〜４０のいずれか一項に記載の除細動器インタフェースユニット。
【請求項４２】
前記プロセッサは、前記除細動器コントローラから、更新された指示状態識別子を周期的に受信し、前記更新された指示状態識別子に基づいて、表示されたグラフィック指示を更新するように構成されている、請求項４１に記載の除細動器インタフェースユニット。
【請求項４３】
前記遠隔サーバから除細動器ソフトウェア更新を受信し、前記ベース除細動器ユニットにインストールするために前記ソフトウェア更新を前記ベース除細動器ユニットに送信するように構成されている、請求項２８〜４２のいずれか一項に記載の除細動器インタフェースユニット。
【請求項４４】
ディスプレイ画面およびプログラムされた命令を実行するのに適したプロセッサを有するデバイスのメモリに格納するのに適したプログラムされた命令を有する除細動器サポートアプリケーションであって、前記プロセッサ上で実行されると、除細動器の現在の音声指示状態に関する前記除細動器からの指示情報の受信に応答して、前記デバイスに、前記除細動器の前記現在の音声指示状態に対応するグラフィック指示を前記ディスプレイ画面上に表示させるように構成されている、除細動器サポートアプリケーション。
【請求項４５】
前記除細動器から受信された前記指示情報は、除細動器状態識別子を含み、
前記プログラムされた命令は、前記プロセッサに、前記デバイスのメモリから、受信された除細動器状態識別子に対応する前記グラフィック指示を検索させ、検索されたグラフィック指示を、前記現在の音声指示状態と同期して前記ディスプレイ画面に表示させるように構成されている、請求項４４に記載の除細動器サポートアプリケーション。
【請求項４６】
前記プログラムされた命令は、前記デバイスが、指定されたタイムアウト閾値を超える期間、前記除細動器から有効な除細動器状態識別子を受信しなかった場合、前記現在の音声指示状態に対応する前記グラフィック指示の表示を停止するようにさらに構成されている、請求項４４または４５に記載の除細動器サポートアプリケーション。
【請求項４７】
前記デバイスは、携帯電話または他のモバイル通信デバイスであり、前記除細動器サポートアプリケーションは、前記携帯電話または他のモバイル通信デバイスにインストールされている、請求項４４〜４６のいずれか一項に記載の除細動器サポートアプリケーション。
【請求項４８】
前記デバイスは、インタフェースユニットなしで完全に機能する除細動器に結合されるように構成されたインタフェースユニットであり、前記インタフェースユニットは、それにインストールされた前記除細動器サポートアプリケーションを有する、請求項４４〜４７のいずれか一項に記載の除細動器サポートアプリケーション。
【請求項４９】
方法であって、
（ａ）ベース除細動器ユニットおよび取り付けられたインタフェースユニットが、単一の携帯型ユニットの少なくとも一部を形成するように、前記ベース除細動器ユニットに取り付けられ、かつ取り外し可能に取り付けられたインタフェースユニットへ、前記ベース除細動器ユニットからステータス情報を送信するステップであって、前記インタフェースユニットは、前記ベース除細動器ユニットの動作に必要ではなく、前記ベース除細動器ユニットの緊急使用中に前記ベース除細動器ユニットへ制御指示を提供しない、送信するステップと、
（ｂ）前記インタフェースユニットにより受信された前記ステータス情報のうちの少なくとも一部を１つまたは複数の遠隔サーバに送信するステップと、
（ｃ）ステップ（ａ）および（ｂ）を周期的に繰り返すことにより、前記ベース除細動器ユニットから前記１つまたは複数の遠隔サーバに、ステータス情報を周期的に送信するステップと
を含む、方法。
【請求項５０】
前記ステータス情報は、
（ｉ）ベース除細動器ユニットのバッテリー充電レベルと、
（ｉｉ）ベース除細動器ユニットの充電ステータスと、
（ｉｉｉ）前記ベース除細動器ユニットにインストールされているファームウェアのバージョンと、
（ｉｖ）最新のファームウェアのインストール日時と、
（ｖ）前記ベース除細動器ユニットのハードウェアバージョンと、
（ｖｉ）前記ベース除細動器ユニットのシリアル番号と、
（ｖｉｉ）最近のベース除細動器ユニットのセルフテスト結果のセットと、
（ｖｉｉｉ）ベース除細動器ユニットの機能ステータスと
のうちの１つまたは複数を含む、請求項４９に記載の方法。
【請求項５１】
前記インタフェースユニットで、遠隔位置にあるソフトウェア更新サーバからソフトウェア更新を受信するステップと、
前記ソフトウェア更新を前記インタフェースユニットから前記ベース除細動器ユニットに送信するステップと、
前記ベース除細動器ユニットに前記ソフトウェア更新をインストールするステップと
をさらに含む、請求項４９または５０に記載の方法。
【請求項５２】
方法であって、
（ａ）ベース除細動器ユニットの緊急使用中に、前記ベース除細動器ユニットに取り付けられ、かつ取り外し可能に取り付けられたインタフェースユニットへ前記ベース除細動器ユニットからインシデント情報を送信するステップであって、前記ベース除細動器ユニットおよび前記取り付けられたインタフェースユニットは、単一の携帯型ユニットの少なくとも一部を形成し、前記インタフェースユニットは、前記ベース除細動器ユニットの動作に必要ではなく、前記ベース除細動器ユニットの緊急使用中に前記ベース除細動器ユニットへ制御指示を提供しない、送信するステップと、
（ｂ）前記ベース除細動器ユニットの緊急使用中に、前記インタフェースユニットから１つまたは複数の遠隔サーバへ、受信されたインシデント情報の少なくとも一部を送信するステップと
を含む、方法。
【請求項５３】
前記インシデント情報は、
（ｉ）前記ベース除細動器ユニットの動作状態と、
（ｉｉ）前記ベース除細動器ユニットが現在ユーザに発行している現在の指示の標示と、
（ｉｉｉ）前記ベース除細動器ユニットがいつ緊急モードになったかを示すタイムスタンプと、
（ｉｖ）除細動ショックが送出されたかどうかを示すインジケータ、および除細動ショックが送出された場合には、各除細動ショックが送出された時刻を示すタイムスタンプと、
（ｖ）各ショックについて送出されるエネルギーレベルと、
（ｖｉ）送出された各ショックに関連する波形と、
（ｖｉｉ）検出されたＥＣＧ分析のショック／ショックなし分類と、
（ｖｉｉｉ）検出されたＥＣＧ分析の心調律分類と、
（ｉｘ）検出されたＥＣＧ分析に関連するタイムスタンプまたは同等物と、
（ｘ）１つまたは複数の記録されたＥＣＧサンプルと、
（ｘｉ）前記ベース除細動器ユニットの起動中に検出された不具合のレポートと
のうちの１つまたは複数を含む、請求項５２に記載の方法。
【請求項５４】
方法であって、
（ｉ）自動体外式除細動器の緊急使用中に、前記自動体外式除細動器に音声指示を生成させるステップと、
（ｉｉ）前記自動体外式除細動器からの前記音声指示に関連する除細動器状態識別子を、表示画面を有する外部デバイスに繰り返し送信するステップであって、前記外部デバイスは、前記除細動器と一体化されておらず、前記除細動器の緊急使用中の前記音声指示の伝達を含む、前記除細動器の緊急使用中の前記除細動器の動作に必要とされない、送信するステップと、
（ｉｉｉ）送信された除細動器状態識別子の受信に応答して、前記外部デバイスに、前記音声指示に関連するグラフィック指示をディスプレイ画面上に表示させるステップであって、表示されたグラフィック指示は、前記音声指示に関連する期間中に表示され、前記表示されたグラフィック指示は、前記除細動器の緊急使用中に前記除細動器から受信されない、表示させるステップと、
（ｉｖ）前記外部デバイスが、前記自動体外式除細動器の緊急使用中に前記自動体外式除細動器によって生成された前記音声指示と同期された一連のグラフィック指示を表示するように、複数の異なる音声指示についてステップ（ｉ）−（ｉｉｉ）を繰り返すステップと
を含む、方法。
【請求項５５】
前記自動体外式除細動器は、現在の除細動器状態を示す情報を前記外部デバイスに周期的に送信し、前記現在の除細動器状態は、利用可能な除細動器状態のセットから選択されたものであり、
前記外部デバイスは、前記現在の除細動器状態を示す情報を使用して、前記現在の除細動器状態に関連するグラフィック指示があるかどうかを判定し、ある場合には、関連するグラフィック指示を表示する、請求項５４に記載の方法。
【請求項５６】
前記外部デバイスが、指定されたタイムアウト閾値を超える期間、前記除細動器から前記現在の除細動器状態を示す有効な情報を受信しなかった場合、前記現在の除細動器状態を示す同期されたグラフィック指示情報の表示を停止するステップをさらに含む、請求項５４または５５に記載の方法。
【請求項５７】
前記現在の除細動器状態は、前記外部デバイス上に表示されるグラフィック指示が前記除細動器によって提供された音声指示と同期されることを確実にするのを支援するために少なくとも毎秒３回の更新の頻度で更新される、請求項５４〜５６のいずれか一項に記載の方法。
【請求項５８】
前記外部デバイスは、除細動器サポートアプリケーションが格納された携帯電話または他のモバイル通信デバイスであり、前記除細動器サポートアプリケーションは、前記自動体外式除細動器から受信された音声指示を示す情報に基づいて前記ディスプレイ画面上に表示されるべき適切なグラフィック指示を判定するように構成されている、請求項５４〜５７のいずれか一項に記載の方法。
【請求項５９】
前記外部デバイスは、前記自動体外式除細動器に結合されている特定目的のインタフェースユニットであり、
前記インタフェースユニットは、前記自動体外式除細動器から受信された音声指示を示す情報に基づいて、前記ディスプレイ画面上に表示されるべき適切なグラフィック指示を判定するように構成されており、
前記除細動器は、前記インタフェースユニットが結合されていない状態で完全に機能する、請求項５４〜５７のいずれか一項に記載の方法。
【手続補正２】
【補正対象書類名】明細書
【補正対象項目名】０１９７
【補正方法】変更
【補正の内容】
【０１９７】
説明されたフォームファクタは、除細動器自体を非常に持ち運びやすく使いやすいものにするコンパクトな設計を提供するが、様々な異なるフォームファクタが代替実施形態で使用され得ることを理解されたい。同様に、特定の電子回路、除細動器制御ロジック、およびユーザインタフェースについて説明したが、これらの機能はすべて幅広く変更できることを理解されたい。したがって、本実施形態は、例示的であり、限定的ではないと考えるべきであり、本発明は、本明細書で与えられた詳細に限定されるものではなく、添付の特許請求の範囲および均等物内で修正され得る。
以下に、本開示に含まれる技術思想を付記として記載する。
（付記１）
除細動器システムであって、
除細動ショックがいつ推奨されるかを判定して前記除細動ショックを送出することが独立して可能な完全機能除細動器を構成するベース除細動器ユニットであって、前記除細動ショックを送出するのに適したキャパシタユニットと、前記除細動ショックを送出するのに適したレベルまで前記キャパシタユニットを独立して充電を容易にするのに十分なエネルギーを蓄積することができるバッテリーとを含む、ベース除細動器ユニットと、
前記ベース除細動器ユニットに取り付けられたインタフェースユニットであって、前記インタフェースユニットは、前記ベース除細動器ユニットおよび取り付けられたインタフェースユニットが、単一の携帯型ユニットの少なくとも一部を形成するように、前記ベース除細動器ユニットに取り付けられ、かつ前記ベース除細動器ユニットに取り外し可能に結合されており、前記インタフェースユニットは、遠隔サーバとの無線通信を容易にする通信モジュールを含み、前記インタフェースユニットは、前記除細動器と関連して動作する以外に実質的な機能を有しないが、前記除細動器が適切に動作するために必要ではない、インタフェースユニットと
を備える、除細動器システム。
（付記２）
除細動器であって、
患者に除細動ショックを送出するのに十分なエネルギーを蓄積および放電するように構成されたキャパシタユニットと、
前記除細動ショックの送出に適した電圧まで前記キャパシタユニットを充電するように構成された充電回路と、
前記キャパシタユニットを放電して前記除細動ショックを送出するのに適した放電回路と、
前記除細動器の使用中にユーザに音声指示を伝達するためのスピーカと、
（ｉ）前記スピーカに、前記除細動器の使用中、前記ユーザに音声指示を伝達させ、（ｉｉ）前記音声指示と同期する外部デバイス上のグラフィックユーザ指示の表示を容易にする情報を前記外部デバイスに送信するように構成された除細動器コントローラと
を備える、除細動器。
（付記３）
除細動器であって、
患者に除細動ショックを送出するのに十分なエネルギーを蓄積および放電するように構成されたキャパシタユニットと、
前記除細動ショックの送出に適した電圧まで前記キャパシタユニットを充電するように構成された充電回路と、
前記キャパシタユニットを放電して前記除細動ショックを送出するのに適した放電回路と、
インタフェースユニットが前記除細動器に物理的に取り付けられている場合に、前記インタフェースユニットを前記除細動器に電気的に結合するのに適した第１のコネクタと、
前記インタフェースユニットとは異なる外部デバイスを前記除細動器に電気的に結合するのに適した第２のコネクタと、
前記インタフェースユニットが前記除細動器に物理的に取り付けられている場合に前記インタフェースユニットとの通信を容易にし、前記外部デバイスとの通信を容易にするように構成された除細動器コントローラと
を備える除細動器。
（付記４）
除細動器であって、
除細動器コントローラと、
患者に除細動ショックを送出するのに十分なエネルギーを蓄積および放電するように構成されたキャパシタユニットと、
前記除細動ショックの送出に適した電圧まで前記キャパシタユニットを充電するように構成された充電回路と、
前記キャパシタユニットを放電して前記除細動ショックを送出するのに適した放電回路と、
前記除細動器に電力を供給し、前記キャパシタユニットを充電するための電力を供給するように構成されたバッテリーと、
外部デバイスから引き出された電力を使用して前記バッテリーを充電するように構成されたバッテリー充電器と、
前記キャパシタユニットの充電中に前記外部デバイスが前記除細動器に接続されている場合に、前記外部デバイスから受け取った電力を、前記バッテリーからの電力と並行して、または前記バッテリーからの電力の代わりに前記充電回路に供給して、前記キャパシタユニットの充電を容易にするように構成されたバイパス回路と
を備える、除細動器。
（付記５）
前記ベース除細動器ユニットは、前記除細動器システムの緊急使用中に前記インタフェースユニットに情報を送信するように構成されており、前記ベース除細動器ユニットは、前記除細動器の緊急使用中に、前記取り付けられたインタフェースユニットまたは他の外部デバイスからの制御指示を必要としないか、または利用しない、付記１に記載の除細動器システム。
（付記６）
前記除細動器は、前記インタフェースユニットまたは外部デバイスが存在しなくても完全に機能する、付記１乃至５のいずれか一項に記載の除細動器。
（付記７）
前記除細動器は、前記除細動器の緊急使用中に、取り付けられたインタフェースユニットまたは他の外部デバイスからの制御指示を利用しないように構成されている、付記１乃至６のいずれか一項に記載の除細動器。
（付記８）
スピーカをさらに備え、前記除細動器コントローラは、
前記スピーカに、前記除細動器の使用中、ユーザに音声指示を伝達させ、
前記音声指示と同期する外部デバイスおよびインタフェースユニットのうちの少なくとも１つ上のグラフィックユーザ指示の表示を容易にする情報を前記外部デバイスおよび前記インタフェースユニットのうちの少なくとも１つに送信する
ように構成されている、付記１乃至７のいずれか一項に記載の除細動器。
（付記９）
前記外部デバイスは、携帯電話または他のモバイル通信デバイスである、付記１乃至８のいずれか一項に記載の除細動器。
（付記１０）
前記携帯電話または他のモバイル通信デバイスは、
それにインストールされた除細動器サポートアプリケーションと、
前記除細動器サポートアプリケーションを実行するためのプロセッサと、
ディスプレイ画面と
を含み、
前記除細動器サポートアプリケーションは、前記プロセッサを制御して、前記除細動器の緊急使用中に、前記除細動器によって提供される音声指示と同期するグラフィック指示を前記ディスプレイ画面に表示させるように構成されている、付記９に記載の除細動器。
（付記１１）
外部ユニットは、前記除細動器と協働して動作すること以外の実質的な機能を有しないが、前記除細動器が適切に動作するために必要とされるものではない専用インタフェースユニットである、付記２または４に記載の除細動器。
（付記１２）
前記インタフェースユニットは、前記除細動器に取り付けられ、かつ前記除細動器に取り外し可能に取り付けられている、付記１、３、および５乃至１１のいずれか一項に記載の除細動器。
（付記１３）
除細動器システムであって、
除細動ショックがいつ推奨されるかを判定して前記除細動ショックを送出することが独立して可能な完全機能除細動器を構成するベース除細動器ユニットであって、前記除細動ショックを送出するのに適したキャパシタユニットと、前記除細動ショックを送出するのに適したレベルまで前記キャパシタユニットを独立して充電を容易にするのに十分なエネルギーを蓄積することができるバッテリーと、ベースユニットハウジングとを含む、ベース除細動器ユニットと、
前記ベース除細動器ユニットに取り付けられ、かつ取り外し可能に結合されたインタフェースユニットであって、前記ベース除細動器ユニットから受信された情報に基づいて前記除細動器システムの緊急使用中にユーザにグラフィック指示を表示するのに適したディスプレイ画面を含むが、前記除細動器システムの緊急使用中に前記ベース除細動器ユニットへの制御を提供せず、前記ベース除細動器ユニットが正しく動作するために必要ではない、インタフェースユニットと
を備える除細動器システム。
（付記１４）
前記インタフェースユニットは、遠隔サーバとの無線通信を容易にする通信モジュールをさらに備える、付記３および５乃至１３のいずれか一項に記載の除細動器。
（付記１５）
前記インタフェースユニットは、前記インタフェースユニットが前記除細動器に取り付けられている場合に前記除細動器上の第１のコネクタに係合する相補的コネクタを含む、付記１、３、および５乃至１４のいずれか一項に記載の除細動器。
（付記１６）
前記除細動器コントローラは、前記除細動器の緊急使用中に前記インタフェースユニットにインシデント情報を送信するようにさらに構成されており、前記インタフェースユニットは、（ａ）前記遠隔サーバに前記インシデント情報の少なくとも一部を送信すること、（ｂ）前記インシデント情報の少なくとも一部を、そのような情報に対するユーザ要求に応答して、ユーザに表示することの両方を行うように構成されている、付記１、３、および５乃至１５のいずれか一項に記載の除細動器。
（付記１７）
前記除細動器は、除細動器バッテリーを含み、前記インタフェースユニットまたは外部デバイスから電力を引き出すように構成されており、（ａ）前記キャパシタユニットの充電中に補助充電電力を選択的に供給すること、（ｂ）前記除細動器バッテリーの再充電のために電力を選択的に供給することの両方のために引き出された電力を選択的に利用することができる、付記１乃至１６のいずれか一項に記載の除細動器。
（付記１８）
前記除細動器は、除細動器バッテリーを含み、前記インタフェースユニットは、インタフェースユニットバッテリーを含み、前記除細動器は、前記除細動器バッテリーから電力を引き出すことなく、前記除細動器が充電器に結合されている場合に前記インタフェースユニットバッテリーが選択された時間に再充電されることを可能にするように構成されている、付記１乃至１７のいずれか一項に記載の除細動器。
（付記１９）
前記除細動器は、除細動器状態情報および指示のうちの少なくとも１つを前記インタフェースユニットまたは外部デバイスに提供して、前記インタフェースユニットまたは外部デバイス上のグラフィック指示の同期された表示を容易にするように構成されている、付記１乃至１８のいずれか一項に記載の除細動器。
（付記２０）
前記除細動器状態情報または指示は、周期的に更新されて、前記外部デバイス上のグラフィック指示が前記除細動器によって提供される音声指示と同期されることを確実にするのを支援する、付記１９に記載の除細動器。
（付記２１）
前記外部デバイスは、指定されたタイムアウト閾値を超える期間にわたって前記除細動器から更新が受信されない場合、前記同期されたグラフィック指示の表示を停止するように構成されている、付記２０に記載の除細動器。
（付記２２）
前記除細動器状態情報または指示は、前記外部デバイス上のグラフィック指示が、前記除細動器により提供される音声指示と同期されることを確実にするのを支援するために、少なくとも毎秒３回の更新の頻度で更新される、付記１９乃至２１のいずれか一項に記載の除細動器。
（付記２３）
前記除細動器状態情報または指示は、毎秒少なくとも１０回の更新の頻度で更新される、付記２２に記載の除細動器。
（付記２４）
外部デバイスを前記除細動器に電気的に結合するのに適したコネクタをさらに備え、前記コネクタは、前記除細動器コントローラと前記外部デバイスとの間の通信を容易にするように構成されている、付記１、２、および４乃至２３のいずれか一項に記載の除細動器。
（付記２５）
前記コネクタは、（ｉ）前記キャパシタユニットの充電を支援すること、または（ｉｉ）除細動器バッテリーを再充電することのために選択的に使用することができる電力を前記外部デバイスから受け取るようにさらに構成されている、付記３または２４に記載の除細動器。
（付記２６）
前記コネクタまたは第２のコネクタは、
ＵＳＢコネクタと、
ライトニングコネクタと
からなる群から選択されたものである、付記３、２４、または２５のいずれか一項に記載の除細動器。
（付記２７）
前記コネクタまたは前記第２のコネクタは、ＵＳＢ−Ｃコネクタ、ＵＳＢ２．０コネクタ、ＵＳＢ３．０コネクタ、ＵＳＢ３．１コネクタ、ＵＳＢミニコネクタ、およびマイクロＵＳＢコネクタからなる群から選択されたＵＳＢコネクタである、付記２６に記載の除細動器。
（付記２８）
第２の外部デバイスを前記除細動器に電気的に結合するのに適した追加のコネクタをさらに備え、前記追加のコネクタは、前記コネクタまたは第２のコネクタとは異なるものであり、前記キャパシタユニットの充電を支援するために使用できる前記第２の外部デバイスから電力を受け取るように構成されている、付記３または２４乃至２７のいずれか一項に記載の除細動器。
（付記２９）
再充電可能なバッテリーと、該再充電可能なバッテリーの再充電を制御するように構成された充電管理モジュールとをさらに備える、付記１乃至２８のいずれか一項に記載の除細動器。
（付記３０）
無線充電器から電力を受け取って前記再充電可能なバッテリーの充電を容易にするように構成された無線充電レシーバをさらに備える、付記２９に記載の除細動器。
（付記３１）
無線通信を使用して、前記インタフェースユニットまたは外部デバイスと通信するように構成された無線通信モジュールをさらに備える、付記１乃至３０のいずれか一項に記載の除細動器。
（付記３２）
前記無線通信ユニットは、Ｂｌｕｅｔｏｏｔｈ、近距離無線通信（ＮＦＣ）、ジグビー通信、専用近距離通信（ＤＳＲＣ）、セルラー通信、Ｗｉ−Ｆｉ、および衛星通信からなる群から選択された通信プロトコルを使用して前記外部デバイスと通信するように構成されている、付記３１に記載の除細動器。
（付記３３）
前記除細動器コントローラ、前記キャパシタユニット、充電回路、および放電回路を含む除細動器ハウジングをさらに備え、コネクタは、前記除細動器ハウジングの外部に露出している、付記１乃至３２のいずれか一項に記載の除細動器。
（付記３４）
前記ハウジング内のカートリッジ容器に収容された電極パッドカートリッジをさらに備え、前記電極パッドカートリッジは、電極パッドおよびはさみを含む、付記３３に記載の除細動器。
（付記３５）
前記バイパス回路は、前記外部デバイスから引き出された電力が前記外部デバイスに関連する指定された電流供給閾値を超えないように、前記外部デバイスから引き出される電力を調整する、付記４乃至３４のいずれか一項に記載の除細動器。
（付記３６）
前記キャパシタユニットの充電中に前記外部デバイスが前記除細動器に接続され、前記バッテリーが完全に放電されている場合、前記バイパス回路のみが、前記キャパシタユニットを充電するために使用される、付記４または３５に記載の除細動器。
（付記３７）
ショック可能調律検出器をさらに備え、前記除細動器は、前記外部デバイスが前記除細動器に電気的に接続されているかどうかにかかわらず、患者が前記外部デバイスからの入力なしにショック可能な調律を有するかどうかを判定するように構成されている、付記１乃至３６のいずれか一項に記載の除細動器。
（付記３８）
除細動器インタフェースユニットなしで完全に機能するベース除細動器ユニットに取り付けられるように適合された除細動器インタフェースユニットであって、
前記ベース除細動器ユニットに取り付けられて、前記ベース除細動器ユニットと前記除細動器インタフェースユニットとを組み合わせた携帯型モジュール式除細動器を提供するように構成されたハウジングと、
前記除細動器インタフェースユニットが前記ベース除細動器ユニットに取り付けられている場合、前記ベース除細動器ユニット上の除細動器コントローラと通信するように構成されたプロセッサと、
通信プロトコルを使用して、前記除細動器インタフェースユニットと、１つまたは複数の遠隔サーバとの間の通信を容易にするように構成された通信モジュールと、
前記インタフェースユニットに電力を供給する蓄電ユニットと
を備える、除細動器インタフェースユニット。
（付記３９）
除細動器インタフェースユニットなしで完全に機能するベース除細動器ユニットに取り付けられるように適合された除細動器インタフェースユニットであって、
前記ベース除細動器ユニットに取り付けられて、前記ベース除細動器ユニットと前記除細動器インタフェースユニットとを組み合わせた携帯型モジュール式除細動器を提供するように構成されたハウジングと、
ディスプレイ画面と、
前記除細動器インタフェースユニットが前記ベース除細動器ユニットに取り付けられている場合、前記ベース除細動器ユニット上の除細動器コントローラと通信するように構成されたプロセッサと
を備え、前記プロセッサは、潜在的な心臓インシデントにおける前記除細動器インタフェースユニットの使用中に、前記ベース除細動器ユニットによって提供される音声指示と同期されたグラフィック指示を前記ディスプレイ画面に表示するようにさらに構成されている、除細動器インタフェースユニット。
（付記４０）
通信プロトコルを使用して、前記除細動器インタフェースユニットと、１つまたは複数の遠隔サーバとの間の通信を容易にするように構成された通信モジュールをさらに備える、付記３９に記載の除細動器インタフェースユニット。
（付記４１）
前記除細動器インタフェースユニットは、汎用携帯電話、タブレットコンピュータ、またはパーソナルコンピュータではない、付記３８乃至４０のいずれか一項に記載の除細動器インタフェースユニット。
（付記４２）
ベース除細動器ユニットに取り付けられるように適合された除細動器インタフェースユニットであって、
前記ベース除細動器ユニットに取り付けられて、前記ベース除細動器ユニットと前記除細動器インタフェースユニットとを組み合わせた携帯型モジュール式除細動器を提供するように構成されたハウジングと、
ディスプレイ画面と、
通信プロトコルを使用して、前記除細動器インタフェースユニットと、１つまたは複数の遠隔サーバとの間の通信を容易にするように構成された通信モジュールと、
前記インタフェースユニットのハウジング上に外部に露出し、前記インタフェースユニットのハウジングが前記ベース除細動器ユニットに取り付けられている場合に前記ベース除細動器ユニット上の相補型コネクタと係合するように適合された第１のコネクタと、
前記ハウジング内に収容されたプロセッサと
を備え、前記プロセッサは、前記除細動器インタフェースユニットが前記ベース除細動器ユニットに取り付けられている場合、前記ベース除細動器ユニット上の除細動器コントローラと通信するように構成されており、
前記除細動器インタフェースユニットは、汎用携帯電話、タブレットコンピュータ、またはパーソナルコンピュータではない、除細動器インタフェースユニット。
（付記４３）
前記除細動器インタフェースユニットは、ベース除細動器ユニットと組み合わせて使用される以外の実質的な機能を有しない、付記３８乃至４２のいずれか一項に記載の除細動器インタフェースユニット。
（付記４４）
ディスプレイ画面をさらに備え、前記プロセッサは、潜在的な心臓インシデントにおける前記除細動器インタフェースユニットの使用中に、前記ベース除細動器ユニットによって提供される音声指示と同期されたグラフィック指示を前記ディスプレイ画面に表示させるようにさらに構成されている、付記３８、４２、または４３のいずれか一項に記載の除細動器インタフェースユニット。
（付記４５）
前記ディスプレイ画面は、タッチセンシティブディスプレイ画面である、付記３９、４２、または４４のいずれか一項に記載の除細動器インタフェースユニット。
（付記４６）
前記除細動器インタフェースユニットは、前記ベース除細動器ユニットからセルフテスト情報を受信し、遠隔位置にあるサーバに前記セルフテスト情報を報告するように構成されている、付記３８乃至４５のいずれか一項に記載の除細動器インタフェースユニット。
（付記４７）
ＧＮＳＳセンサをさらに備え、前記除細動器インタフェースユニットは、前記ＧＮＳＳセンサを使用して前記除細動器インタフェースユニットの位置を判定し、前記除細動器インタフェースユニットの位置を遠隔位置にあるサーバに報告するように構成されている、付記３８乃至４６のいずれか一項に記載の除細動器インタフェースユニット。
（付記４８）
前記通信モジュールは、セルラー通信およびＷｉＦｉ通信のうちの少なくとも１つを容易にする、付記３８および４０乃至４７のいずれか一項に記載の除細動器インタフェースユニット。
（付記４９）
前記インタフェースユニットのハウジング上に外部に露出し、前記インタフェースユニットのハウジングが前記ベース除細動器ユニットに取り付けられている場合に前記ベース除細動器ユニット上の相補型コネクタと係合するように適合された第１のコネクタをさらに備える、付記３８乃至４１および４３乃至４８のいずれか一項に記載の除細動器インタフェースユニット。
（付記５０）
前記第１のコネクタは、前記プロセッサと前記除細動器コントローラとの間の通信を容易にするように構成されている、付記４２または４９に記載の除細動器インタフェースユニット。
（付記５１）
前記第１のコネクタは、前記インタフェースユニットと前記ベースユニットとの間の電力の伝達を容易にする、付記４２、４９または５０のいずれか一項に記載の除細動器インタフェースユニット。
（付記５２）
前記コネクタは、少なくとも２つの通信線コンタクト、電力線コンタクト、および接地線コンタクトを含む、付記４２または４９乃至５１のいずれか一項に記載の除細動器インタフェースユニット。
（付記５３）
前記除細動器インタフェースユニットは、ベースユニットが取り付けられているかどうかを判定するようにさらに構成されている、付記３８乃至５２のいずれか一項に記載の除細動器インタフェースユニット。
（付記５４）
前記プロセッサ、通信ユニット、および蓄電ユニットは、すべて、少なくとも部分的に前記ハウジング内に含まれている、付記３８乃至５３のいずれか一項に記載の除細動器インタフェースユニット。
（付記５５）
前記除細動器インタフェースユニットは、前記ベース除細動器ユニットの緊急使用中に前記ベース除細動器ユニットに制御指示を送信せず、前記ベース除細動器ユニットの動作に必要ではない、付記３８乃至５４のいずれか一項に記載の除細動器インタフェースユニット。
（付記５６）
前記ハウジングは、前記ベース除細動器ユニットに取り外し可能に取り付けられるように構成されている、付記３８乃至５５のいずれか一項に記載の除細動器インタフェースユニット。
（付記５７）
前記プロセッサは、前記ベース除細動器ユニットから除細動器ステータス情報を周期的に受信し、前記除細動器ステータス情報を前記遠隔サーバのうちの１つまたは複数に周期的に送信するように構成されている、付記３８乃至５６のいずれか一項に記載の除細動器インタフェースユニット。
（付記５８）
前記除細動器ステータス情報は、前記ベース除細動器ユニットから受信され、前記遠隔サーバのうちの１つまたは複数に毎日１回送信される、付記５７に記載の除細動器インタフェースユニット。
（付記５９）
前記蓄電ユニットは、前記ベース除細動器ユニット上のいかなる蓄電ユニットからも電力を引き出すことなく、前記ベース除細動器ユニットに結合されている間に再充電されるように構成されたインタフェースユニットバッテリーである、付記３８乃至５８のいずれか一項に記載の除細動器インタフェースユニット。
（付記６０）
前記インタフェースユニットは、モジュール式除細動器の動作中、前記ベース除細動器ユニットから電力を引き出さない、付記３８乃至５９のいずれか一項に記載の除細動器インタフェースユニット。
（付記６１）
前記蓄電ユニットを再充電するように構成されたバッテリー充電器をさらに備える、付記３８乃至６０のいずれか一項に記載の除細動器インタフェースユニット。
（付記６２）
前記除細動器ユニットが充電され、外部電源に接続された場合、前記ベース除細動器を介した電力受信を用いて前記蓄電ユニットを再充電するように構成されている、付記３８乃至６１のいずれか一項に記載の除細動器インタフェースユニット。
（付記６３）
前記除細動器インタフェースユニットは、前記ベース除細動器ユニットに電力を供給することができる、付記３８乃至６２のいずれか一項に記載の除細動器インタフェースユニット。
（付記６４）
メモリと、該メモリに格納された除細動器アプリとをさらに備え、前記除細動器アプリは、前記プロセッサ上で実行可能なプログラムされた命令を含む、付記３８乃至６３のいずれか一項に記載の除細動器インタフェースユニット。
（付記６５）
前記除細動器アプリは、前記ベース除細動器ユニットの使用中に、前記ベース除細動器ユニットによって提供される音声指示を補足するグラフィック指示をディスプレイ画面に表示させるように構成されている、付記６４に記載の除細動器インタフェースユニット。
（付記６６）
前記プロセッサは、
前記除細動器コントローラから指示状態識別子を受信し、
前記インタフェースユニットのメモリから前記指示状態識別子に対応するグラフィック指示を検索し、
検索されたグラフィック指示を前記ディスプレイ画面に表示させて、前記除細動器インタフェースユニット上での前記グラフィック指示の同期された表示を容易にする
ように構成されている、付記６５に記載の除細動器インタフェースユニット。
（付記６７）
前記プロセッサは、前記除細動器コントローラから、更新された指示状態識別子を周期的に受信し、前記更新された指示状態識別子に基づいて、表示されたグラフィック指示を更新するように構成されている、付記６５または６６に記載の除細動器インタフェースユニット。
（付記６８）
前記遠隔サーバから除細動器ソフトウェア更新を受信し、前記ベース除細動器ユニットにインストールするために前記ソフトウェア更新を前記ベース除細動器ユニットに送信するように構成されている、付記３８乃至６７のいずれか一項に記載の除細動器インタフェースユニット。
（付記６９）
前記インタフェースユニットまたは前記外部デバイスのうちの少なくとも１つのメモリに格納するのに適したプログラムされた命令を有する除細動器サポートアプリケーションをさらに備え、前記除細動器サポートアプリケーションは、前記プロセッサ上で実行されると、前記ベース除細動器ユニットの現在の音声指示状態に関する前記ベース除細動器ユニットからの指示情報の受信に応答して、前記インタフェースユニットに、前記除細動器の前記現在の音声指示状態に対応するグラフィック指示を前記ディスプレイ画面上に表示させるように構成されている、付記１乃至６９のいずれか一項に記載の除細動器またはインタフェースユニット。
（付記７０）
除細動器システムであって、
除細動ショックがいつ推奨されるかを判定して前記除細動ショックを送出することが独立して可能な完全機能除細動器を構成するベース除細動器ユニットであって、前記除細動ショックを送出するのに適したキャパシタユニットと、前記除細動ショックを送出するのに適したレベルまで前記キャパシタユニットを独立して充電を容易にするのに十分なエネルギーを蓄積することができるバッテリーと、バッテリー充電器とを含む、ベース除細動器ユニットと、
前記ベース除細動器ユニットに取り付けられた補助バッテリーパックであって、前記ベース除細動器ユニットおよび取り付けられた補助バッテリーパックが、携帯ユニットとして一緒に持ち運べる単一ユニットを形成するように、前記ベース除細動器ユニットに取り付けられ、かつ取り外し可能に取り付けられた補助バッテリーパックと、
前記除細動器のバッテリー充電器は、前記補助バッテリーパックからの電力を利用して前記除細動器のバッテリーを再充電するように構成されている、除細動器システム。
（付記７１）
前記バッテリー充電器は、第１のバッテリーの充電レベルが指定の充電閾値を下回ったと判定された場合に、前記補助バッテリーパックから電力を引き出して前記除細動器のバッテリーを充電するように構成されている、付記７０に記載の除細動器システム。
（付記７２）
前記ベース除細動器ユニットは、治療事象中に前記補助バッテリーパックから直接電力を引き出して前記キャパシタユニットの充電を支援するように構成された補助充電回路をさらに備える、付記７０または７１に記載の除細動器システム。
（付記７３）
ディスプレイ画面およびプログラムされた命令を実行するのに適したプロセッサを有するデバイスのメモリに格納するのに適したプログラムされた命令を有する除細動器サポートアプリケーションであって、前記プロセッサ上で実行されると、除細動器の現在の音声指示状態に関する前記除細動器からの指示情報の受信に応答して、前記デバイスに、前記除細動器の前記現在の音声指示状態に対応するグラフィック指示を前記ディスプレイ画面上に表示させるように構成されている、除細動器サポートアプリケーション。
（付記７４）
前記除細動器から受信された前記指示情報は、除細動器状態識別子を含み、
前記プログラムされた命令は、前記プロセッサに、前記デバイスのメモリから、受信された除細動器状態識別子に対応する前記グラフィック指示を検索させ、検索されたグラフィック指示を、前記現在の音声指示状態と同期して前記ディスプレイ画面に表示させるように構成されている、付記７３に記載の除細動器サポートアプリケーション。
（付記７５）
前記プログラムされた命令は、前記デバイスが、指定されたタイムアウト閾値を超える期間、前記除細動器から有効な除細動器状態識別子を受信しなかった場合、前記現在の音声指示状態に対応する前記グラフィック指示の表示を停止するようにさらに構成されている、付記７３または７４に記載の除細動器サポートアプリケーション。
（付記７６）
前記デバイスは、携帯電話または他のモバイル通信デバイスであり、前記除細動器サポートアプリケーションは、前記携帯電話または他のモバイル通信デバイスにインストールされている、付記７３乃至７５のいずれか一項に記載の除細動器サポートアプリケーション。
（付記７７）
前記デバイスは、前記インタフェースユニットなしで完全に機能する除細動器に結合されるように構成されたインタフェースユニットであり、前記インタフェースユニットは、それにインストールされた前記除細動器サポートアプリケーションを有する、付記７３乃至７５のいずれか一項に記載の除細動器サポートアプリケーション。
（付記７８）
方法であって、
（ａ）ベース除細動器ユニットから該ベース除細動器ユニットに取り付けられたインタフェースユニットへステータス情報を送信するステップであって、前記インタフェースユニットは、前記ベース除細動器ユニットの動作に必要ではなく、前記ベース除細動器ユニットの緊急使用中に前記ベース除細動器ユニットへ制御指示を提供しない、送信するステップと、
（ｂ）前記インタフェースユニットにより受信された前記ステータス情報のうちの少なくとも一部を１つまたは複数の遠隔サーバに送信するステップと、
（ｃ）ステップ（ａ）および（ｂ）を周期的に繰り返すことにより、前記ベース除細動器ユニットから前記１つまたは複数の遠隔サーバに、ステータス情報を周期的に送信するステップと
を含む、方法。
（付記７９）
前記ステータス情報を受信および送信するステップは、毎日１回繰り返される、付記７８に記載の方法。
（付記８０）
前記ステータス情報は、
（ｉ）ベース除細動器ユニットのバッテリー充電レベルと、
（ｉｉ）ベース除細動器ユニットの充電ステータスと、
（ｉｉｉ）前記ベース除細動器ユニットにインストールされているファームウェアのバージョンと、
（ｉｖ）最新のファームウェアのインストール日時と、
（ｖ）前記ベース除細動器ユニットのハードウェアバージョンと、
（ｖｉ）前記ベース除細動器ユニットのシリアル番号と、
（ｖｉｉ）最近のベース除細動器ユニットのセルフテスト結果のセットと、
（ｖｉｉｉ）ベースユニットの機能ステータスと
のうちの１つまたは複数を含む、付記７８または７９に記載の方法。
（付記８１）
前記インタフェースユニットで、遠隔位置にあるソフトウェア更新サーバからソフトウェア更新を受信するステップと、
前記ソフトウェア更新を前記インタフェースユニットから前記ベース除細動器ユニットに送信するステップと、
前記ベース除細動器ユニットに前記ソフトウェア更新をインストールするステップと
をさらに含む、付記８０に記載の方法。
（付記８２）
方法であって、
（ａ）ベース除細動器ユニットの緊急使用中に、前記ベース除細動器ユニットから該ベース除細動器ユニットに取り付けられたインタフェースユニットへインシデント情報を送信するステップであって、前記インタフェースユニットは、前記ベース除細動器ユニットの動作に必要ではなく、前記ベース除細動器ユニットの緊急使用中に前記ベース除細動器ユニットへ制御指示を提供しない、送信するステップと、
（ｂ）受信されたインシデント情報の少なくとも一部を、前記インタフェースユニットから１つまたは複数の遠隔サーバに送信するステップと
を含む、方法。
（付記８３）
前記インシデント情報は、
（ｉ）前記ベース除細動器ユニットの動作状態と、
（ｉｉ）前記ベース除細動器ユニットが現在ユーザに発行している現在の指示の標示と、
（ｉｉｉ）前記ベース除細動器ユニットがいつ緊急モードになったかを示すタイムスタンプと、
（ｉｖ）除細動ショックが送出されたかどうかを示すインジケータ、および除細動ショックが送出された場合には、各除細動ショックが送出された時刻を示すタイムスタンプと、
（ｖ）各ショックについて送出されるエネルギーレベルと、
（ｖｉ）送出された各ショックに関連する波形と、
（ｖｉｉ）検出されたＥＣＧ分析のショック／ショックなし分類と、
（ｖｉｉｉ）検出されたＥＣＧ分析の心調律分類と、
（ｉｘ）検出されたＥＣＧ分析に関連するタイムスタンプまたは同等物と、
（ｘ）１つまたは複数の記録されたＥＣＧサンプルと、
（ｘｉ）前記ベース除細動器ユニットの起動中に検出された不具合のレポートと
のうちの１つまたは複数を含む、付記８２に記載の方法。
（付記８４）
方法であって、
（ｉ）自動体外式除細動器の緊急使用中に、前記自動体外式除細動器に音声指示を生成させるステップと、
（ｉｉ）前記音声指示を示す情報を、前記自動体外式除細動器から、ディスプレイ画面を有する外部デバイスに送信するステップと、
（ｉｉｉ）前記外部デバイスに、前記音声指示に関連するグラフィック指示をディスプレイ画面上に表示させるステップであって、表示されたグラフィック指示は、前記音声指示に関連する期間中に表示される、表示させるステップと、
（ｉｖ）前記外部デバイスが、前記自動体外式除細動器の緊急使用中に前記自動体外式除細動器によって生成された前記音声指示と同期されたグラフィック指示を表示するように、複数の異なる音声指示についてステップ（ｉ）−（ｉｉｉ）を繰り返すステップと
を含む、方法。
（付記８５）
前記自動体外式除細動器は、現在の除細動器状態を示す情報を前記外部デバイスに周期的に送信し、前記現在の除細動器状態は、利用可能な除細動器状態のセットから選択されたものであり、
前記外部デバイスは、前記現在の除細動器状態を示す情報を使用して、前記現在の除細動器状態に関連するグラフィック指示があるかどうかを判定し、ある場合には、関連するグラフィック指示を表示する、付記８４に記載の方法。
（付記８６）
前記外部デバイスが、指定されたタイムアウト閾値を超える期間、前記除細動器から前記現在の除細動器状態を示す有効な情報を受信しなかった場合、前記現在の除細動器状態を示す同期されたグラフィック指示情報の表示を停止するステップをさらに含む、付記８４または８５に記載の方法。
（付記８７）
前記現在の除細動器状態は、前記外部デバイス上に表示されるグラフィック指示が前記除細動器によって提供された音声指示と同期されることを確実にするのを支援するために少なくとも毎秒３回の更新の頻度で更新される、付記８４乃至８６のいずれか一項に記載の方法。
（付記８８）
前記外部デバイスは、除細動器サポートアプリケーションが格納された携帯電話または他のモバイル通信デバイスであり、前記除細動器サポートアプリケーションは、前記自動体外式除細動器から受信された音声指示を示す情報に基づいて前記ディスプレイ画面上に表示されるべき適切なグラフィック指示を判定するように構成されている、付記８４乃至８７のいずれか一項に記載の方法。
（付記８９）
前記外部デバイスは、前記自動体外式除細動器に結合されている特定目的のインタフェースユニットであり、
前記インタフェースユニットは、前記自動体外式除細動器から受信された音声指示を示す情報に基づいて、前記ディスプレイ画面上に表示されるべき適切なグラフィック指示を判定するように構成されており、
前記除細動器は、前記インタフェースユニットが結合されていない状態で完全に機能する、付記８４乃至８７のいずれか一項に記載の方法。
（付記９０）
除細動器ユニットに電気的に接続された外部デバイスから除細動器ユニットにより受け取られる電力を管理する方法であって、除細動器は、除細動ショックを送出するのに適したキャパシタユニット、および再充電可能なバッテリーを含み、前記除細動器ユニットは、前記バッテリーからの電力を選択的に供給して前記キャパシタユニットを充電するように構成されており、前記方法は、
前記除細動器ユニットがキャパシタ充電状態にない場合、前記再充電可能なバッテリーの再充電が必要かどうかを判定するステップと、前記再充電可能なバッテリーの再充電が必要であると判定された場合、前記外部デバイスから電力を引き出して前記再充電可能なバッテリーを再充電するステップとを含む、方法。
（付記９１）
前記除細動器ユニットがキャパシタ充電状態にある場合、前記外部デバイスから電力を引き出して、前記キャパシタユニットを充電する、または前記キャパシタユニットの充電を補助するステップをさらに含む、付記９０に記載の方法。
（付記９２）
前記外部デバイスは、モバイル通信デバイスである、付記９０または９１に記載の方法。
（付記９３）
前記外部デバイスは、補助バッテリーパックである、付記９０または９１に記載の方法。
（付記９４）
前記外部デバイスは、前記除細動器ユニットに取り付けられ、かつ前記除細動器ユニットに取り外し可能に取り付けられたインタフェースユニットであり、前記除細動器ユニットは、前記インタフェースユニットがベース除細動器ユニットに取り付けられた場合に、前記インタフェースユニットの相補コネクタと係合する第１のコネクタを有する、付記９０または９１に記載の方法。
（付記９５）
前記外部デバイスは、ＵＳＢコネクタを介して前記除細動器ユニットに電気的に接続されており、前記外部デバイスから引き出される電力は、前記ＵＳＢコネクタを介して引き出される、付記９０乃至９４のいずれか一項に記載の方法。
（付記９６）
前記外部デバイスは、ディスプレイ画面を有し、前記方法は、潜在的心停止事象中の前記除細動器の使用中に、
前記除細動器ユニットの１つまたは複数のスピーカを介してユーザに音声指示を伝達するステップと、
前記ディスプレイ画面を介して前記ユーザにグラフィック指示を伝達するステップと
を含み、前記グラフィック指示は、前記音声指示と同期されている、付記９０乃至９５のいずれか一項に記載の方法。
（付記９７）
インタフェースユニットバッテリーを有するインタフェースユニットが、前記除細動器に取り付けられており、前記方法は、前記除細動器ユニットがキャパシタ充電状態になく、前記除細動器ユニットの再充電可能なバッテリーが再充電を必要としない場合のみ、前記外部デバイスから電力を引き出して、再充電可能なインタフェースユニットバッテリーを再充電するステップをさらに含む、付記９０乃至９６のいずれか一項に記載の方法。
（付記９８）
再充電可能なバッテリーパックが前記除細動器に取り付けられており、前記方法は、前記除細動器ユニットがキャパシタ充電状態になく、前記除細動器ユニットの再充電可能なバッテリーが充電を必要としない場合のみ、前記外部デバイスから電力を引き出して、前記再充電可能なバッテリーパックを再充電するステップをさらに含む、付記９０乃至９６のいずれか一項に記載の方法。
（付記９９）
前記除細動器は、前記インタフェースユニットまたは外部デバイスなしで完全に機能し、
緊急使用中、前記除細動器は、前記インタフェースユニットまたは外部デバイスからのコマンドを必要とせず、または前記インタフェースユニットまたは外部デバイスからのコマンドに依存しない、付記７８乃至９８のいずれか一項に記載の方法。
（付記１００）
付記７８乃至９９のいずれか一項に記載の方法を実行するように構成されたモジュール式除細動器システム。
（付記１０１）
前記ベース除細動器ユニットは、前記インタフェースユニットまたは外部デバイスが存在しなくても完全に機能し、
前記ベース除細動器ユニットは、前記除細動器の緊急使用中に、取り付けられたインタフェースユニットまたは他の外部デバイスからの制御指示を利用しない、付記１に記載の除細動器システム。
（付記１０２）
前記ベース除細動器ユニットは、スピーカを含み、前記除細動器コントローラは、（ａ）前記除細動器システムの使用中に前記スピーカに音声指示をユーザに伝達させ、（ｂ）前記音声指示と同期されたグラフィックユーザ指示の前記インタフェースユニット上での表示を容易にする情報を前記インタフェースユニットに送信するように構成されており、
前記インタフェースユニットは、ディスプレイ画面を含み、前記ベース除細動器ユニットから受信された情報に基づいて、前記除細動システムの緊急使用中に、ユーザにグラフィック指示を表示するように構成されている、付記１に記載の除細動器システム。
（付記１０３）
前記ベース除細動器ユニットは、前記インタフェースユニットによって利用される状態情報または指示を周期的に前記インタフェースユニットに送信して、前記除細動器によって提供される現在の音声指示に対応する、表示されるべきグラフィック指示を判定する、付記１０２に記載の除細動器システム。
（付記１０４）
外部デバイスを前記ベース除細動器ユニットに電気的に結合するのに適したコネクタをさらに備え、該コネクタは、前記除細動器コントローラと前記外部デバイスとの間の通信を容易にし、前記外部デバイスから（ｉ）前記キャパシタユニットの充電を支援し、または（ｉｉ）除細動器バッテリーを再充電するために選択的に使用され得る電力を受け取るように構成されている、付記１に記載の除細動器システム。
（付記１０５）
前記ベース除細動器ユニットは、前記除細動器システムの緊急使用中に前記インタフェースユニットにインシデント情報を送信するように構成された除細動器コントローラを含み、前記インタフェースユニットは、（ａ）前記遠隔サーバに前記インシデント情報の少なくとも一部を送信すること、（ｂ）前記インシデント情報の少なくとも一部を、そのような情報に対するユーザ要求に応答して、ユーザに表示することの両方を行うように構成されている、付記１に記載の除細動器システム。
（付記１０６）
前記ベース除細動器ユニットは、除細動器バッテリーを含み、前記インタフェースユニットは、インタフェースユニットバッテリーを含み、前記ベース除細動器ユニットは、前記除細動器バッテリーから電力を引き出すことなく、前記ベース除細動器ユニットが充電器に結合されている場合に前記インタフェースユニットバッテリーが選択された時間に再充電されることを可能にするように構成されている、付記１に記載の除細動器システム。
（付記１０７）
前記インタフェースユニットは、ＧＮＳＳセンサをさらに含み、前記除細動器インタフェースユニットは、前記ＧＮＳＳセンサを使用して前記除細動器インタフェースユニットの位置を判定し、前記除細動器インタフェースユニットの位置を遠隔位置にあるサーバに報告するように構成されている、付記１に記載の除細動器システム。
（付記１０８）
前記ベース除細動器ユニットは、除細動器コントローラ、前記キャパシタユニット、充電回路、放電回路、および電極パッドカートリッジを含む除細動器ハウジングを含み、前記カートリッジは、電極パッドを含む、付記１に記載の除細動器システム。
（付記１０９）
前記インタフェースユニットは、ベース除細動器ユニットに取り付けられるように適合されており、前記除細動器インタフェースユニットは、さらに、
前記ベース除細動器ユニットに取り付けられて、前記ベース除細動器ユニットと前記インタフェースユニットとを組み合わせた携帯型モジュール式除細動器を提供するように構成されたハウジングと、
ディスプレイ画面と、
前記インタフェースユニットのハウジング上に外部に露出し、前記インタフェースユニットのハウジングが前記ベース除細動器ユニットに取り付けられている場合に前記ベース除細動器ユニット上の相補型コネクタと係合するように適合された第１のコネクタと、
前記ハウジング内に収容されたプロセッサと
を備え、前記プロセッサは、前記除細動器インタフェースユニットが前記ベース除細動器ユニットに取り付けられている場合、前記ベース除細動器ユニット上の除細動器コントローラと通信するように構成されている、付記１に記載の除細動器システム。
（付記１１０）
前記プロセッサは、
前記除細動器コントローラから指示状態識別子を受信し、
前記インタフェースユニットのメモリから前記指示状態識別子に対応するグラフィック指示を検索し、
検索されたグラフィック指示を前記ディスプレイ画面上に表示させて、前記インタフェースユニット上での同期された前記グラフィック指示の表示を容易にする
ように構成されている、付記１０９に記載の除細動器インタフェースユニット。
（付記１１１）
前記インタフェースユニットは、前記除細動器システムの動作中、前記ベース除細動器ユニットから電力を引き出さない、付記１に記載の除細動器システム。
（付記１１２）
前記除細動器ハウジングは、前記インタフェースユニットを収容し、かつ前記インタフェースユニットを前記除細動器ハウジングに確実に取り付けるように構成されたモジュールレセプタをさらに含み、前記モジュールレセプタは、フロアを有し、前記モジュールレセプタのフロア上に露出した第１のコネクタは、前記インタフェースユニットが前記モジュールレセプタに固定された場合、前記インタフェースユニットの相補コネクタに係合して、前記インタフェースユニットを前記ベース除細動器ユニットに電気的に接続するように構成されている、付記１０８に記載の除細動器。